(57)【要約】【課題】  長時間荷重をかけて電線ケーブルを引っ張ることが出来、マンホール等の蓋を閉めての作業もでき、地上での場所をとらず、簡単な治具を用いて作業できる。【解決手段】  標準工法では引き抜きが困難なケーブルの引き抜き工法において、マンホール２内に突出した電線ケーブル１を引きシャフト６に接続し、マンホール２の側壁に固定した支持パイプ４の他端に外部ハウジング９を設け、この外部ハウジング９内に有底の内部ハウジング１０を設け、この外部ハウジング９及び内部ハウジング１０内に引きシャフト６を導入し、内部ハウジング１０内に設けた複数のバネ１１の他端に、引きシャフト６を中央孔に通したバネ圧縮板１２を当て、バネ圧縮板１２から突出した引きシャフト６の外周ネジ部に引きナット１３を螺着し、引きナット１３を締め付けてバネ圧縮板１２でバネ１１を圧縮させ、バネ１１の復元力を当該電線ケーブル１の引き方向に作用させる。【選択図】  図１
2006109588.tif 000002
【特許請求の範囲】
【請求項１】
地中に埋設したトラフ又は管路に残置した、不要となった電線ケーブルをその一定の長さの両端のマンホール又は作業用立坑の一方から引き抜く際、標準工法では引き抜きが困難なケーブルの引き抜き工法において、マンホール又は作業用立坑に突出した電線ケーブルの一端を引きシャフトの一端に接続し、一端をマンホール又は作業用立坑の側壁に当てて固定したバネの他端を、上記引きシャフトに固定して当該バネの復元力を当該電線ケーブルの引き抜き方向に作用させることを特徴とする、長時間張力式ケーブル引き抜き工法。
【請求項２】
地中に埋設したトラフ又は管路に残置した、不要となった電線ケーブルをその一定の長さの両端のマンホール又は作業用立坑の一方から引き抜く際、標準工法では引き抜きが困難なケーブルの引き抜き工法において、マンホール又は作業用立坑に突出した電線ケーブルの一端を引きシャフトの一端に接続し、上記電線ケーブルが突出したマンホール又は作業用立坑の側壁に一端を固定した支持体を上記電線ケーブルに沿って設け、この支持体の他端に横向き筒状の外部ハウジングを設け、この外部ハウジング内に有底横向き筒状の内部ハウジングを、外部ハウジングの一端開口部に内部ハウジングの開口部を嵌合させて設け、この外部ハウジングの内部及び内部ハウジングの底板の略中央部に設けた孔に上記引きシャフトを貫通させて引きシャフトを内部ハウジング内に導入し、当該内部ハウジングの底板に一端を当接し、上記引きシャフトと平行に複数のバネを設け、これらのバネの他端に、上記引きシャフトを中央孔に通したバネ圧縮板を当接し、当該バネ圧縮板から突出した引きシャフトの外周に設けたネジ部に引きナットを螺着し、当該引きナットを締め付けることによりバネ圧縮板を動かして上記複数のバネを圧縮させ、これらの複数のバネの復元力を当該電線ケーブルの引き方向に作用させることを特徴とする、長時間張力式ケーブル引き抜き工法。
【請求項３】
地中に埋設したトラフ又は管路に残置した、不要となった電線ケーブルをその一定の長さの両端のマンホール又は作業用立坑の一方から引き抜く際、上記標準工法では引き抜きが困難なケーブルの引き抜き工法に使用する治具において、マンホール又は作業用立坑に突出した電線ケーブルの一端を引きシャフトの一端に接続し、上記電線ケーブルが突出したマンホール又は作業用立坑の側壁に一端を固定した複数の支持体を、上記ケーブルの周りに間隔をあけて設け、これらの各支持体の他端に横向き筒状の外部ハウジングを設け、この外部ハウジング内に有底横向き筒状の内部ハウジングを、外部ハウジングの一端開口部に内部ハウジングの開口部を嵌合させて設け、この外部ハウジングの内部及び内部ハウジングの底板の略中央部に設けた孔に上記引きシャフトを貫通させて引きシャフトを内部ハウジング内に導入し、当該内部ハウジングの底板に一端を当接し、上記引きシャフトと平行に複数のバネを内部ハウジング内に設け、これらのバネの他端に、上記引きシャフトを中央孔に通したバネ圧縮板を当接し、当該バネ圧縮板から突出した引きシャフトの外周に設けたネジ部に引きナットを螺着し、当該引きナットを締め付けることにより圧縮板を動かして上記複数のバネを圧縮させることができる構成としたことを特徴とする、長時間張力式ケーブル引き抜き治具。
【請求項４】
上記外部ハウジングの内部に設けた内部ハウジングの開口部を、外部ハウジングの一端開口部から外方に突出自在に調整できる構成としたことを特徴とする、上記請求項３に記載の長時間張力式ケーブル引き抜き治具。
【請求項５】
上記内部ハウジングが外部ハウジングから抜けないように抜け止めストッパーを設け、かつ上記圧縮板が抜けないように上記内部ハウジングの開口部周縁からストッパーを内側に突出させたことを特徴とする、上記請求項３又は４に記載の長時間張力式ケーブル引き抜き治具。
【請求項６】
上記バネ圧縮板の中央孔から上記引きシャフトの外周に沿って設けた筒部の外周一側に荷重目盛りを設け、内部ハウジングの開口部から上記荷重目盛りに向けて荷重表示針を突出させたことを特徴とする、上記請求項３、４、又は５のいずれかに記載の長時間張力式ケーブル引き抜き治具。
【発明の詳細な説明】
【技術分野】
【０００１】
この発明は、地中に埋設されたトラフや管路内に残置されている不要な電線ケーブルを引き抜く際、電線ケーブルがトラフや管路の内周面にこびりつき、通常のラガー車を用いては引き抜くことが困難な電線ケーブルの、いわゆる縁切りに使用するケーブル引き抜き工法及びこの工法に使用する治具に関するものである。
【背景技術】
【０００２】
従来、地中に埋設されたトラフや管路内に残置されている不要な電線ケーブルを引き抜く場合、この電線ケーブルの、適宜の長さの両端のマンホール又は作業用立坑で当該ケーブルを切断し、この一方のマンホール又は作業用立坑からラガー車等を用いて当該区間の電線ケーブルを引き抜いている。しかしながら、長年経っている電線ケーブルは充填砂やトラフや管路の内周面にこびりつき、通常のラガー車を用いての引き抜きでは、引き抜くことが困難な場合がある。
【０００３】
そこで、このような場合には、油圧を利用したケーブル引き抜き補助機を用いている。このケーブル引き抜き補助機５０は図１３に示すように、上記マンホール又は作業用立坑５１内に設置し、パイプ架台５２に載せた引き抜き機本体５３内に、マンホール又は作業用立坑５１に露出した電線ケーブル５４の一端を導入し、引き抜き機本体５３内の作用体５５にこれを固定し、当該作用体５５に、油圧ポンプ５６からの油圧で電線ケーブル５４の引き抜き方向に圧力を掛け、当該電線ケーブル５４とトラフや管路の内周面との縁切りを行っていた。
【特許文献１】特公平３−７３２０５号公報
【発明の開示】
【発明が解決しようとする課題】
【０００４】
しかしながらこの従来の油圧によるケーブルの縁切り工法では、油圧ポンプを用いるため、長時間にわたって油圧をかけることは出来ない。マンホールや作業用立坑が狭い場合が多く、油圧ポンプは地上に設け、そこからマンホール等の蓋を開けて油圧ホースをマンホール又は作業用立坑内に引き入れ、ケーブル引き抜き補助機に接続するため、マンホール等の蓋を開けたままの作業となり、地上でも油圧ポンプの設置により場所をとる。従って、長時間作業は出来ない。その上、長い油圧ホースを配線するため、作業が煩雑となり、手間のかかるものと成っていた。
【０００５】
この発明はこれらの点に鑑みて為されたもので、長時間荷重をかけて電線ケーブルを引っ張ることが出来、マンホール等の蓋を閉めての作業もでき、地上での場所をとらず、簡単な構造の治具を用いて作業できる、バネを用いた残置電線ケーブルの引き抜き工法及びこれに使用する治具を提供し、上記課題を解決しようとするものである。
【課題を解決するための手段】
【０００６】
そこで、請求項１の発明は、地中に埋設したトラフ又は管路に残置した、不要となった電線ケーブルをその一定の長さの両端のマンホール又は作業用立坑の一方から引き抜く際、標準工法では引き抜きが困難なケーブルの引き抜き工法において、マンホール又は作業用立坑に突出した電線ケーブルの一端を引きシャフトの一端に接続し、一端をマンホール又は作業用立坑の側壁に当てて固定したバネの他端を、上記引きシャフトに固定して当該バネの復元力を当該電線ケーブルの引き抜き方向に作用させる、長時間張力式ケーブル引き抜き工法とした。
【０００７】
また、請求項２の発明は、上記標準工法では引き抜きが困難なケーブルの引き抜き工法において、マンホール又は作業用立坑に突出した電線ケーブルの一端を引きシャフトの一端に接続し、上記電線ケーブルが突出したマンホール又は作業用立坑の側壁に一端を固定した支持体を、上記電線ケーブルに沿って設け、この支持体の他端に横向き筒状の外部ハウジングを設け、この外部ハウジング内に有底横向き筒状の内部ハウジングを、外部ハウジングの一端開口部に内部ハウジングの開口部を嵌合させて設け、この外部ハウジングの内部及び内部ハウジングの底板の略中央部に設けた孔に上記引きシャフトを貫通させて引きシャフトを内部ハウジング内に導入し、当該内部ハウジングの底板に一端を当接し、上記引きシャフトと平行に複数のバネを設け、これらのバネの他端に、上記引きシャフトを中央孔に通したバネ圧縮板を当接し、当該バネ圧縮板から突出した引きシャフトの外周に設けたネジ部に引きナットを螺着し、当該引きナットを締め付けることによりバネ圧縮板を動かして上記複数のバネを圧縮させ、これらの複数のバネの復元力を当該電線ケーブルの引き方向に作用させる、長時間張力式ケーブル引き抜き工法とした。
【０００８】
また、請求項３の発明は、上記標準工法では引き抜きが困難なケーブルの引き抜き工法に使用する治具において、マンホール又は作業用立坑に突出した電線ケーブルの一端を引きシャフトの一端に接続し、上記電線ケーブルが突出したマンホール又は作業用立坑の側壁に一端を固定した複数の支持体を、上記ケーブルの周りに間隔をあけて設け、これらの各支持体の他端に横向き筒状の外部ハウジングを設け、この外部ハウジング内に有底横向き筒状の内部ハウジングを、外部ハウジングの一端開口部に内部ハウジングの開口部を嵌合させて設け、この外部ハウジングの内部及び内部ハウジングの底板の略中央部に設けた孔に上記引きシャフトを貫通させて引きシャフトを内部ハウジング内に導入し、当該内部ハウジングの底板に一端を当接し、上記引きシャフトと平行に複数のバネを内部ハウジング内に設け、これらのバネの他端に、上記引きシャフトを中央孔に通したバネ圧縮板を当接し、当該バネ圧縮板から突出した引きシャフトの外周に設けたネジ部に引きナットを螺着し、当該引きナットを締め付けることにより圧縮板を動かして上記複数のバネを圧縮させることができる、長時間張力式ケーブル引き抜き治具とした。
【０００９】
また、請求項４の発明は、上記請求項３の発明において、外部ハウジングの内部に設けた内部ハウジングの開口部を、外部ハウジングの一端開口部から外方に突出自在に調整できる構成の長時間張力式ケーブル引き抜き治具とした。
また、請求項５の発明は、上記請求項３又は４の発明において、上記内部ハウジングが外部ハウジングから抜けないように抜け止めストッパーを設け、かつ上記圧縮板が抜けないように上記内部ハウジングの開口部周縁からストッパーを内側に突出させた構成の長時間張力式ケーブル引き抜き治具とした。
また、請求項６の発明は、上記請求項３、４及び５の発明において、上記バネ圧縮板の中央孔から上記引きシャフトの外周に沿って設けた筒部の外周一側に荷重目盛りを設け、内部ハウジングの開口部から上記荷重目盛りに向けて荷重表示針を突出させた、長時間張力式ケーブル引き抜き治具とした。
【発明の効果】
【００１０】
請求項１、２及び３の各発明によれば、バネの復元力により、ケーブルの引き抜き方向に長時間課張力をかけることが出来、これにより、引き抜きが困難であったケーブルの引き抜きが容易かつ確実になる。しかも大掛かりな設備や装置を要せずに、極めて簡単な構造の治具を用いればよいため、地上での場所をとらず、マンホールの蓋をしたまま長時間上記課張力をかけることができ、地上の交通の妨げとならない。
【００１１】
また、請求項４の発明によれば、バネの課張力で、ケーブルが一定長引き抜かれた際、内部ハウジングを外部ハウジングから外方に突出させ、その位置で再びバネによりケーブルに課長力をかけることができ、治具を設置し直すことなく、これらを複数回繰り返し、ケーブルの引き抜き長さを容易に長くすることができる。また、請求項５の発明によれば、内部ハウジングは外部ハウジングに対して外部ハウジングの開口部から突出調整可能となっているが、抜け止めストッパーを有しているため、内部ハウジングが外部ハウジングから抜けることはなく、また、内部ハウジングの開口部からバネ圧縮板を押さえるストッパーを設けているため、バネが内部ハウジングから抜け出ることが無く、取り扱いが便利である。また、請求項６の発明によれば、引きナットを締め付けてバネを圧縮する際、荷重目盛りを設けているため、作業に際して、現在の荷重度合いが一目でわかり、誰にでも所定の荷重をケーブルに掛けることができる。
【発明を実施するための最良の形態】
【００１２】
地中に埋設したトラフ又は管路に残置した、不要となった電線ケーブルを、その一定の長さの両端のマンホール又は作業用立坑の一方から引き抜く際、標準工法では引き抜きが困難なケーブルの引き抜き工法において、マンホール又は作業用立坑に突出した電線ケーブルの一端を引きシャフトの一端に接続し、上記電線ケーブルが突出したマンホール又は作業用立坑の側壁に一端を固定した複数の支持体を、上記ケーブルの周りに間隔をあけて設け、これらの各支持体の他端に横向き筒状の外部ハウジングを設け、この外部ハウジング内に有底横向き筒状の内部ハウジングを、外部ハウジングの一端開口部に内部ハウジングの開口部を嵌合させて設け、この外部ハウジングの内部及び内部ハウジングの底板の略中央部に設けた孔に上記引きシャフトを貫通させて引きシャフトを内部ハウジング内に導入し、当該内部ハウジングの底板に一端を当接し、上記引きシャフトと平行に複数のバネを設け、これらのバネの他端に、上記引きシャフトを中央孔に通したバネ圧縮板を当接し、当該バネ圧縮板から突出した引きシャフトの外周に設けたネジ部に引きナットを螺着し、当該引きナットを締めつけることにより圧縮板を動かして上記複数のバネを圧縮させ、これらの複数のバネの復元力を当該電線ケーブルの引き方向に作用させる、引き抜き工法とし、これにより、長時間にわたって、電線ケーブルに課張力をかけることができ、引き抜きの困難な電線ケーブルを容易かつ確実に引き抜くことができる。
【実施例１】
【００１３】
以下この発明を図面に基いて詳細に説明する。
図１乃至図６は、この発明の方法及びこれに使用する治具の構成を示し、図１はマンホール内での概略構成図、図２はこの方法に使用する治具の一部断面正面図、図３は同治具の側面図、図４は図１の断面一部平面図、図５は、図２のＡ−Ａ断面図、図６は図２の要部構成図、図７は荷重目盛り板と荷重表示針の平面図及び側面図である。
地中に埋設されたトラフや管路内に残置されている不要となった、引き抜き困難な電線ケーブルの引き抜きにおいて、電線ケーブル１の一端はマンホール２内に突出しており、この電線ケーブル１は、マンホール側壁に設けた防水管３を通ってマンホール２内に導入されている。この防水管３の端部にはフランジ３ａを有しており、このフランジ３ａに四本の支持パイプ４の一端を、電線ケーブル１の外周に沿うように固定、支持している。また、上記電線ケーブル１の一端は、プーリングアイ５を介して引きシャフト６の一端に接続されている。このプーリングアイ５と引きシャフト６とは、ピン７により、これらの長手方向に対して直角に回転自在に接続されている。
【００１４】
上記四本の支持パイプ４の他端には、円形基盤８が固定され、この円形基盤８の中央孔８ａを上記引きシャフト６が遊貫している。さらにこの円形基盤８に横向きの筒状の外部ハウジング９の一端が固定され、上記引きシャフト６が内部を貫通している。この外部ハウジング９の内部には、横向き有底筒状の内部ハウジング１０が設けられ、内部ハウジング１０の開口部が外部ハウジング９の他端の開口部に嵌合している。また、この内部ハウジングの底板１０ａには中央孔１０ｂが穿ってあり、この中央孔１０ｂに上記引きシャフト６が遊貫している。さらにこの中央孔１０ｂの周縁から、内部に引きシャフト６を通したガイド筒１０ｃを設けている。この内部ハウジング１０はバネケースであり、この内部ハウジング１０の内周に沿って多数のスプリング１１を設けており、これらのスプリング１１は一端を上記底板１０ａに当接し、上記引きシャフト６にほぼ平行に位置している。
【００１５】
また、これらのスプリング１１の他端には、内部ハウジング１０の開口部を塞ぐバネ圧縮板１２が設けられ、このバネ圧縮板１２の中央孔１２ａを上記引きシャフト６が貫通している。このバネ圧縮板１２の中央孔１２ａの周縁から上記引きシャフトの外周に沿って筒部１２ｂが設けられている。上記引きシャフト６の他端外周にはネジ部６ａが設けられ、このネジ部６ａに変形袋ナット状の引きナット１３が螺着されている。そして、この引きナット１３を、パワーレンチ１４で締め付けると、引きナット１３がバネ圧縮板１２の筒部１２ｂを押し、上記バネ圧縮板１２が引きシャフト６に沿って動き、スプリング１１を圧縮する。この状態において圧縮されたスプリング１１は内部ハウジング１０を反力受けとして、バネ圧縮板１２を内部ハウジング１０の開口部方向に動かそうとする力が働く。そして、上記引きナット１３を外方に引っ張り、引きシャフト６及びこの引きシャフト６に繋がった電線ケーブル１を引っ張る力が働く。このようにして、電線ケーブル１に課張力をかけてしばらく置いておくと、スプリング１１の復元力で電線ケーブル１は、トラフや管路の内周面とのこびりつきが解かれて、縁切りが行われる。
【００１６】
また、上記外部ハウジング９内には抜け止めストッパー１５が設けられ、この抜け止めストッパー１５はその一端を上記内部ハウジング１０の底板１０ａに固定し、他端を上記外部ハウジング９内に設けた突片２６小孔及び上記円形基盤８ａの小孔８ｂに通し、ナット１５ａを螺着ている。これにより内部ハウジング１０は、外部ハウジング９に対して摺動自在になっているが、外部ハウジング９から抜けないようになっている。なお、後述の図８、９、１０、及び１２では、この抜け止めストッパー１５は、突片２６にのみ支持され、円形基盤８の小孔８ｂへの貫通状態を示していないが、これは説明上図示を省略したものである。
また、上記内部ハウジング１０の開口部周縁には複数のストッパー１６が設けられ、これらのストッパー１６によりバネ圧縮板１２が内部ハウジング１０の開口部から外れないようになっている。
【００１７】
また、上記内部ハウジング１０の開口部外周に外周ネジ部１０ｄが設けられ、この外周ネジ部１０ｄに大径ナット１７が螺着され、この大径ナット１７の外周４箇所にナットレバー１８が設けられている。この大径ナット１７をナットレバー１８により回すことにより、内部ハウジング１０の外部ハウジング９に対するその突出幅を調整できるようになっている。さらに、上記バネ圧縮板１２の筒部１２ｂの外周一側には、図７に示すように、荷重目盛り板１９を設けており、上記内部ハウジング１０の開口端縁からこの荷重目盛り板１９に向けて荷重表示針２０を突出させている。
【００１８】
また、上記外部ハウジング９の外周にはその長手方向に取っ手２１が複数個設けられ、また、内部ハウジング１０の開口端縁に沿って複数の取っ手２２が設けられている。また、上記内部ハウジング１０の底板１０ａから上記スプリング１１の位置を保持させるスプリングガイド２３が設けられ、各スプリング１１の位置が圧縮によってもずれないように規制している。さらに、図２及び図３に示すように、上記外部ハウジング１０の下方の二つの取っ手２１から、当該取っ手２１を鞘管としてアーム２４が伸縮自在に突出し、これらのアーム２４の先端でスライド式反力受け２５を支持している。このスライド式反力受け２５は、上記引きナット１３に装着するパワーレンチ１４の反力受けアーム１４ａを保持し、パワーレンチ１４が回転するのを阻止するものである。なお、図２において、上記取っ手２１のうち、下方の取っ手２１は説明上外部ハウジング９の下方に位置させ、上記アーム２４の先端部が上方にずれて記載しているが、実際は図３に示すように、上記アーム２４は外部ハウジング９の下辺付近に位置しており、これらの取っ手２１から上記アーム２４がまっすぐ伸びて、これらの二つのアームの先端でスライド式反力受け２５を支持している。
【００１９】
上記治具は、上記四本の支持パイプ４の部分、外部ハウジング９の部分、内部ハウジング１０の三つの部材に分割でき、これらを分割してマンホール２に搬入し、マンホール２内で組み立てることができる。
【００２０】
以下、この治具を用いて電線ケーブル１の引き抜き作業の工程作業手順を図８乃至図１２に基づいて説明する。
まず、上述の様に、治具をマンホール２内の電線ケーブル１が挿通した防水管３に装着する。図８はその装着状態を示し、スプリング１１は圧縮されていない。また、内部ハウジング１０は外部ハウジング９に深く挿入されている。この状態の上記引きナット１３にパワーレンチ１４を装着して、当該パワーレンチ１４により引きナット１３を締め付ける。これによりバネ圧縮板１２の筒部１２ｂの端部が押され、図９に示すようにバネ圧縮板１２がスプリング１１を圧縮する（図８と比べ図９のスプリング１１は短い）。その際、荷重表示針２０が指している、荷重目盛り板１９の目盛りにより、荷重値が一目で分かる。そして、所定の荷重がかかった時点で上記パワーレンチ１４を外し、この状態で２、３日放置しておく。その際上記マンホール２の蓋を閉めておくことができる。
【００２１】
その後、図１０に示すようにバネ圧縮板１２が内部ハウジング１０の開口端まで戻って、荷重もゼロになっていると、電線ケーブル１が一定長引き抜かれたことを意味する。そこで、図１１に示すように、引きナット１３を緩める。そして上記ナットレバー１８によって内部ハウジング１０の外周の大径ナット１７を廻し、内部ハウジング１０を外部ハウジング９の開口部から一定長突出させる。この状態を図１２に示す。そして、この状態から、さらに上述と同様に、パワーレンチ１４により、上記スプリング１１を圧縮し、電線ケーブル１の引き抜き方向に課張力をかける。
【００２２】
このようにして、一定長電線ケーブル１を引き抜く毎に、内部ハウジング１０を外部ハウジング９から引き出し、突出長さを長くすれば、電線ケーブル１を長く引き出すことができる。内部ハウジング１０の引き出しでは足らなくなった時は、上記支持パイプ４の長さを長い物に代え、さらに電線ケーブル１を引き出すことができる。
【００２３】
なお、上記実施例においては、具体的な構成の治具を用いているがこれに代えて、マンホール又は作業用立坑に突出した電線ケーブルの一端を引きシャフトの一端に接続し、一端をマンホール又は作業用立坑の側壁に当てて固定したバネの他端を、上記引きシャフトに固定して当該バネの復元力を当該電線ケーブルの引き抜き方向に作用させる構成のケーブル引き抜き工法としてもよい。また、上記実施例では、スプリング１１としたが、これは適宜のバネでよい。また、上記実施例では支持パイプ４を設けたが、これは適宜の支持体でも使用できる。さらに、支持体の一端はマンホール又は作業用立坑の、電線ケーブルが突出している側壁に直に取り付ける場合もある。
【図面の簡単な説明】
【００２４】
【図１】この発明の方法及び治具のマンホール内での概略構成図である。
【図２】この発明の方法に使用する治具の一部断面正面図である。
【図３】この発明の方法に使用する治具の側面図である。
【図４】この発明の方法に使用する治具の断面一部平面図である。
【図５】この発明の方法に使用する治具の、図２におけるＡ−Ａ断面図である。
【図６】この発明の方法に使用する治具の要部構成図である。
【図７】この発明の方法に使用する治具の荷重目盛り板と荷重表示針の平面図及び正面図である。
【図８】この発明の治具を用いた電線ケーブルの引き抜き作業の手順を示す第１工程構成図である。
【図９】この発明の治具を用いた電線ケーブルの引き抜き作業の手順を示す第２工程構成図である。
【図１０】この発明の治具を用いた電線ケーブルの引き抜き作業の手順を示す第３工程構成図である。
【図１１】この発明の治具を用いた電線ケーブルの引き抜き作業の手順を示す第４工程構成図である。
【図１２】この発明の治具を用いた電線ケーブルの引き抜き作業の手順を示す第５工程構成図である。
【図１３】従来例を示す構成図である。
【符号の説明】
【００２５】
１    電線ケーブル
２    マンホール
３    防水管
４    支持パイプ
５    プーリングアイ                  
６    引きシャフト
６ａ  ネジ部
７    ピン
８    円形基盤
８ａ  中央孔
８ｂ  小孔
９    外部ハウジング                    
１０    内部ハウジング
１０ａ  底板
１０ｂ  中央孔
１０ｃ  ガイド筒
１０ｄ  外周ネジ部
１１   スプリング                    
１２    バネ圧縮板
１２ａ  中央孔
１２ｂ  筒部
１３    引きナット      
１４    パワーレンチ
１４ａ  反力受けアーム
１５    抜け止めストッパー
１５ａ  ナット
１６    ストッパー
１７    大径ナット
１８    ナットレバー
１９    荷重目盛り板
２０    荷重表示針
２１    取っ手
２２    取っ手
２３    スプリングガイド
２４    アーム
２５    スライド式反力受け
２６    突片
【図１】
2006109588.tif 000003
【図２】
2006109588.tif 000004
【図３】
2006109588.tif 000005
【図４】
2006109588.tif 000006
【図５】
2006109588.tif 000007
【図６】
2006109588.tif 000008
【図７】
2006109588.tif 000009
【図８】
2006109588.tif 000010
【図９】
2006109588.tif 000011
【図１０】
2006109588.tif 000012
【図１１】
2006109588.tif 000013
【図１２】
2006109588.tif 000014
【図１３】
2006109588.tif 000015